(57)【要約】      （修正有）【課題】液晶表示面に装着することが出来、液晶面に当たる不要な外光を遮り、多段階に素早く伸縮でき液晶表示が欠けることなく素早く確認できる液晶遮光フードを提供する。【解決手段】収納枠３に収納された状態から伸張するには操作枠５を手前に引き移動させると収納枠３の中に折畳まれた遮光幕２が１段目として伸張する。さらに移動させると収納枠３に格納されている中間枠４と折畳まれている遮光幕１が２段目として伸張する。縮小は前述の逆方向に操作枠５を押込み移動させると遮光幕１と２と中間枠４が移動し収納枠３の中に折畳まれ収納される。遮光幕１と２と中間枠４の移動加減で多段階に伸縮させることができ任意の位置で姿勢を保持できる。いずれの場合も外光を遮り、液晶表示は欠けることなく即確認できる。【選択図】図２
0003163964.tif 000002
【実用新案登録請求の範囲】
【請求項１】
筒状の幕及び幕の中間に中間枠を単又は複数設置し、幕の両端と中間枠に円形筒状または多角形筒状で、多段階に伸縮可能であり且つ任意の位置で姿勢を保持できる伸縮筒である。前述した液晶表示面に装着し液晶表示を見る窓の空いた収納枠と、操作する為の液晶表示を確認用窓の開いた操作枠、伸縮と保持する為の筒状の中間枠、それぞれ枠の周囲を囲む幕で構成され、幕と中間枠の移動で多段階に伸縮でき、液晶表示を欠くことなく即確認できることが特徴の液晶遮光フード。
【考案の詳細な説明】
【技術分野】
【０００１】本考案はカメラ、ビデオカメラ、パソコンやテレビのモニター、携帯電話、携帯テレビ、携帯端末、自動車のナビやモニター、モバイル機器の液晶表示を、多段階に伸縮し外光を防ぐ液晶遮光フードである。
【背景技術】
【０００２】屋外で使用されるデジタルカメラ、ビデオカメラ、パソコンモニター、携帯電話、携帯端末、自動車のナビやモニター、モバイル機器等の液晶面に当たる不要な外光を防止遮光しなければ、液晶表示を確認しにくい。
【先行技術文献】
【特許文献】
【０００３】
【特許文献１】  特許公開２００５−２２１９４８
【特許文献２】  特許公開２００３−３１９２２７
【特許文献３】  登録実用新案第３０９３７７５
【考案の概要】
【考案が解決しようとする課題】
【０００４】液晶表示面に当たる外光を遮り正確に撮影結果を確認しなければならないが、屋外の晴天下では太陽光による表面反射により視認性の低下が問題となる。本考案は上記問題点を解決するもので、屋外での晴天下において不要な外光を遮光して液晶表示の視認性を向上するものである。遮光の不必要のときには収納し、小型携帯性に優れた液晶遮光フードを提供することを目的とする。【０００５】特許文献１は折畳み自在ではあるが液晶表示を、その都度カバーを開いて確認しなければならない。常時確認できず使用に不便である。特許文献２はコンパクトにならず構造的に衝撃に弱く耐久性に劣る。特許文献３は撮影者が別途運搬して、液晶表示を確認する都度液晶表示面に当てなければならないので取り扱いに不便である。
【課題を解決するための手段】
【０００６】この目的を達成するために本考案の液晶遮光フードは液晶面に装着し、あるいは脱着可能とし不要な外光を遮光する遮光フードであって、液晶表示部に接着またはマジックテープやマグネット、遮光フード装着具を用いて脱着可能とする。液晶表示面に装着するため開口窓を有した収納枠と液晶表示を覗くための開口窓を有した操作枠、伸縮や姿勢を保持させる為の円または多角形筒状の中間枠、それぞれの枠の四方を囲む遮光幕で構成し、遮光幕と中間枠を移動させることにより多段階に伸縮し且つ中間枠を構成したことにより希望の位置で姿勢を保持できる。液晶表示面に装着してもコンパクトで携帯においても優れ、且つ伸張状態で衝撃が加わっても幕を用いているため容易に変形し衝撃を回避でき直ぐ元の姿勢に直すことができる。操作が簡単で伸縮させても液晶表示を遮ることなく液晶表示を即確認でき、今までの問題を解決しようとするものである。
【考案の効果】
【０００７】前記の様に本考案の液晶フードは従来の問題を解決できる液晶遮光フードである。伸縮可能で、任意の位置で伸張または収納の状態を保持し伸張時や収納時にも液晶表示を遮ることなく即確認できる。収納時にも収納枠があるために不要な外光を幾分か遮り液晶表示が見やすくなる効果もある。本考案の特徴は、コンパクトで伸縮を多段階の長さに調整ができ、構造的にも遮光幕を用いて可動させるため耐久性に富み操作が簡易で素早い撮影に役立つ液晶遮光フードである。
【図面の簡単な説明】
【０００８】
【図１】本考案の液晶遮光フードの一実施例を示す収納状態の斜視図である。
【図２】伸張状態の斜視図である。
【図３】伸張上面図及び底面図である。
【図４】伸張側面図及び背面図である。
【図５】Ａ−Ａ´伸張上面断面図である。
【図６】Ｂ部分の収納状態一部断面詳細図である。
【考案を実施するための形態】
【０００９】本考案の液晶フードは液晶表示部に接着や、装着具はあるいはマジックテープ、マグネット等で脱着可能として装着する。収納枠に折畳まれている操作枠を伸張方向に移動すると遮光幕が一段階目として伸張し、さらに移動させると遮光幕の中間に設けた中間枠を経て二段階目として伸張する。移動した中間枠と折畳まれた遮光幕の位置によって多段階に伸張できる。縮小は操作枠を収納方向に移動させると、遮光幕と中間枠が収納枠に順次収納され且つ中間枠を構成したことにより任意の位置に姿勢を保持できる。いずれの場合も液晶表示が欠けることなく即確認できる。中間枠を増やせばより伸張でき、また操作枠、中間枠、収納枠を円筒、多角形筒状にして幕で囲めば、多様な伸縮筒として社会に貢献することができる。
【実施例】
【００１０】以下添付図面に従って一実施例を説明する。図１は本形体の遮光フードで、収納した状態の斜視図であり操作枠側から見た図である。１、２は耐水遮光性の布、ゴム、プラスチックフィルム等適宣素材で形成された幕で、３、４、５は金属や非金属の耐久性のある素材で形成された四角形筒枠で構成される。６は液晶面に装着固定する場合は接着剤や両面テープ等、マジックテープやマグネット、別途遮光フード装着具を設け固定用爪等を用いると脱着可能となる。７は必要に応じて装着しゴム、スポンジ等の弾力性の素材を用い身体の怪我、眼鏡等の傷などを防ぐ。【００１１】以上のように構成された本実施の遮光フードについて以下動作を説明する。図１は収納された状態であり、収納枠３に収納された状態から伸張するには操作枠５を手前に引き移動させると収納枠３の中に折畳まれた遮光幕２が１段目として伸張する。さらに移動させると収納枠３に格納されている中間枠４と折畳まれている遮光幕１が２段目として伸張する。縮小は前述の逆方向に操作枠５を押込み移動させると遮光幕１と２と中間枠４が移動し収納枠３に折畳まれ収納される。遮光幕１と２と中間枠４の移動加減で多段階に伸縮させることができ任意の位置で姿勢を保持できる。
【産業上の利用可能性】
【００１２】装着面と操作枠の向きを適切に選び、幕と中間枠の組み合わせを増やせば、不要な外光のため表示が確認しにくい産業機器のモニター、医療機器、玩具や宇宙用機器、収納をコンパクトにして伸縮させる部位、空調配管等の丸形筒状や多角形筒状で多段階の伸縮、あるいは多段階に曲げられる曲がり状、小型軽量、コンパクトにできるので多くの産業にて多方面での多様な応用ができる。
【符号の説明】
【００１３】１  遮光幕
２  遮光幕
３  収納枠
４  中間枠
５  操作枠
６  接着材
７  保護材
【図１】
0003163964.tif 000003
【図２】
0003163964.tif 000004
【図３】
0003163964.tif 000005
【図４】
0003163964.tif 000006
【図５】
0003163964.tif 000007
【図６】
0003163964.tif 000008
【手続補正書】
【提出日】平成22年8月12日(2010.8.12)
【手続補正１】
【補正対象書類名】実用新案登録請求の範囲
【補正対象項目名】全文
【補正方法】変更
【補正の内容】
【実用新案登録請求の範囲】
【請求項１】
円筒状又は多角筒状の構造体で液晶部に固定又は、液晶部に脱着可能な装着具や素材を用い装着し、遮光幕の一端に液晶表示を確認する開口窓が空いた収納枠を設置し、遮光幕の他方の一端には遮光幕の伸縮操作を行うのと液晶表示を確認する開口窓の空いた操作枠を設置し、収納枠と操作枠の中間に姿勢の保持と伸縮させる中間枠を単又は複数を伸縮に適切な間隔をあけ設置し、収納枠と操作枠と中間枠の外周囲は円筒状または多角筒状の遮光幕で囲み固定する事で、多段階に伸縮可能となり任意の位置に姿勢を保持し液晶表示を欠く事なく即確認できることが特徴の液晶遮光フード。
【手続補正２】
【補正対象書類名】明細書
【補正対象項目名】全文
【補正方法】変更
【補正の内容】
【考案の詳細な説明】
【技術分野】
【０００１】本考案はカメラ、ビデオカメラ、パソコンやテレビのモニター、携帯電話、携帯テレビ、携帯端末、自動車のナビやモニター、モバイル機器の液晶表示を、多段階に伸縮し外光を防ぐ液晶遮光フードである。
【背景技術】
【０００２】屋外で使用されるデジタルカメラ、ビデオカメラ、パソコンモニター、携帯電話、携帯端末、自動車のナビやモニター、モバイル機器等の液晶面に当たる不要な外光を防止遮光しなければ、液晶表示を確認しにくい。
【先行技術文献】
【特許文献】
【０００３】
【特許文献１】特許公開２００５−２２１９４８
【特許文献２】特許公開２００３−３１９２２７
【特許文献３】登録実用新案第３０９３７７５
【考案の概要】
【考案が解決しようとする課題】
【０００４】液晶面に当たる外光を遮り正確に撮影結果を確認しなければならないが、屋外の晴天下では太陽光による表面反射により視認性の低下が問題となる。本考案は上記問題点を解決するもので、屋外での晴天下において不要な外光を遮光して液晶表示の視認性を向上するものである。遮光の不必要のときには収納し、小型携帯性に優れた液晶遮光フードを提供することを目的とする。【０００５】特許文献１は折畳み自在ではあるが液晶表示を、その都度カバーを開いて確認しなければならない。常時確認できず使用に不便である。特許文献２はコンパクトにならず構造的に衝撃に弱く耐久性に劣る。特許文献３は撮影者が別途運搬して、液晶表示を確認する都度液晶表示面に当てなければならないので取り扱いに不便である。
【課題を解決するための手段】
【０００６】この目的を達成するために本考案の液晶遮光フードは液晶部に装着し、あるいは脱着可能とし不要な外光を遮光する液晶遮光フードであって、液晶部の適切な位置に接着または「マジックテープ（登録商標）」やマグネット、遮光フード装着具を用いて脱着可能として装着する。液晶部に装着するため開口窓を有した収納枠と液晶表示を確認のための開口窓を有した操作枠、伸縮や姿勢を保持させる為の円筒状又は多角形筒状の中間枠、それぞれの枠の周囲を囲む遮光幕で構成し、遮光幕と中間枠と操作枠を移動させることにより多段階に伸縮し且つ中間枠を構成したことにより任意の位置で姿勢を保持できる。液晶部に装着してもコンパクトで携帯においても優れ、且つ伸張状態で衝撃が加わっても幕を用いているため容易に変形し衝撃を回避でき直ぐ元の姿勢に直すことができる。操作が簡単で伸縮させても液晶表示を遮ることなく液晶表示を即確認でき、今までの問題を解決しようとするものである。
【考案の効果】
【０００７】前記の様に本考案の液晶フードは従来の問題を解決できる液晶遮光フードである。伸縮可能で、任意の位置で伸張または収納の状態を保持し伸張時や収納時にも液晶表示を遮ることなく即確認できる。収納時にも収納枠があるために不要な外光を幾分か遮り液晶表示が見やすくなる効果もある。本考案の特徴は、コンパクトで伸縮を多段階の長さに調整ができ、構造的にも遮光幕を用いて可動させるため耐久性に富み操作が簡易で素早い撮影に役立つ液晶遮光フードである。
【図面の簡単な説明】
【０００８】
【図１】本考案の液晶遮光フードの一実施例を示す収納状態の斜視図である。
【図２】伸張状態の斜視図である。
【図３】伸張上面図及び底面図である。
【図４】伸張側面図及び背面図である。
【図５】Ａ−Ａ´伸張上面断面図である。
【図６】Ｂ部分の収納状態一部断面詳細図である。
【考案を実施するための形態】
【０００９】  本考案の液晶フードは液晶部に固定や、装着具または「マジックテープ（登録商標）」，マグネット等で脱着可能として装着する。収納枠に収納している操作枠を伸張方向に移動すると遮光幕と操作枠が一段階目として伸張し、さらに移動させると遮光幕の中間に設けた中間枠を経て二段階目として伸張する。移動した中間枠と折畳まれた遮光幕の位置により多段階に伸張できる。縮小は操作枠を収納方向に移動させると、遮光幕と中間枠が収納枠に順次収納され且つ中間枠を構成したことにより任意の位置に姿勢を保持できる。いずれの場合も液晶表示が欠けることなく即確認できる。遮光幕を延長し中間枠を複数設置するとさらに伸張でき、多様な伸縮筒として社会に貢献することができる。
【実施例】
【００１０】以下添付図面に従って一実施例を説明する。図１は本形体の液晶遮光フードで、収納した状態の斜視図であり操作枠側から見た図である。１、２は連続した耐水遮光性の布、ゴム、プラスチックフィルム等適宣素材で形成された幕で、３、４、５は金属や非金属の耐久性のある素材で形成された四角状枠で構成される。６は液晶面に装着固定する場合は接着剤や両面テープ等または「マジックテープ（登録商標）」やマグネットや装着具を用いると脱着可能となる。７は必要に応じてゴム、スポンジ等の弾力性の素材を用い身体の怪我、眼鏡等の傷などを防ぐ。【００１１】以上のように構成された本実施の液晶遮光フードについて以下動作を説明する。図１は収納された状態であり、３収納枠に収納された状態から伸張するには５操作枠を手前に引き移動させると３収納枠の中に折畳まれた２遮光幕が１段目として伸張する。５操作枠を更に移動させると３収納枠に収納されている４中間枠と折畳まれている１遮光幕が２段目として伸張する。縮小は前述の逆方向に５操作枠を押込み移動させると、１遮光幕と２遮光幕と４中間枠が移動し３収納枠に折畳まれ収納される。１遮光幕と２遮光幕と４中間枠と５操作枠の移動加減で多段階に伸縮させることができ任意の位置で姿勢を保持できる。
【産業上の利用可能性】
【００１２】収納枠と操作枠の向きを適切に選び、幕を延長し中間枠を増やせば、不要な外光のため表示が確認しにくい産業機器のモニター、医療機器、玩具や宇宙用機器、コンパクトに収納し伸縮させる部位、空調配管等の丸筒状や多角形筒状で多段階の伸縮、あるいは多段階に曲げられる曲がり状など小型軽量でコンパクトにできるので多くの産業にて多方面での多様な要望に応用ができる。
【符号の説明】
【００１３】１  遮光幕
２  遮光幕
３  収納枠
４  中間枠
５  操作枠
６  接着材
７  保護材